(57)【特許請求の範囲】
【請求項１】
患者情報又は検体情報等をラベルに印刷するラベルプリンターと、印刷後のラベルを移送するラベル移送手段と、多数収容された同じ種類の採血管を一本ずつ切り出して前記印刷後のラベルを自動的に貼り付ける複数のラベル貼付装置と、該ラベル貼付装置の下方へ配設されたラベル貼り付け後の採血管を搬送する搬送手段と、当該搬送手段の終端側で患者別又は検体別に採血管を収容するトレイと、トレイの搬出手段とから成り、前記ラベル貼付装置は採血管の種類別に複数のものが配置されるものであると共に、前記ラベルプリンターと、ラベル移送手段と、複数のラベル貼付装置と、ラベル貼付後の採血管の搬送手段とはそれぞれ上下に多段式で配設されており、上下各段のラベルプリンターは上下各段のそれぞれにおいて選択された複数のラベル貼付装置の採血管に対応してその数の分だけラベルを連続して印刷し、上下各段のラベル移送手段は全てのラベルが印刷された後、これらを各ラベル貼付装置に移送し、各ラベル貼付装置は収容された同じ種類の採血管についてのみ専用的にラベルを貼り付けて下方の採血管の搬送手段へ落下排出するものであることを特徴とする採血管準備装置。
【請求項２】
装置本体の近傍に採血台が配設されており、前記トレイへ収容されて準備された採血管の種類に応じて採血台にて患者の採血を行う請求項１に記載の採血管準備装置。
【発明の詳細な説明】
【０００１】
【発明の属する技術分野】
本発明は、上位システムからの患者情報又は検体情報等に基づいて、患者別又は検体別に複数の採血管を一つのトレイに準備し、隣位に設置された採血台にて前記準備された採血管の種類に応じた採血を行うようにした採血管の準備装置に関するものである。
【０００２】
【従来の技術】
上位システムからの患者情報等に基づいて、患者ごと又は検体別ごとに、種類の異なる採血管を複数本取り出し、これを一つのトレイへ収容して準備する採血管準備装置は、既に実用化されており、公知である。而して、従来の採血管準備装置は、採血管を種類別に多数ストックしておき、上位システムからの患者情報等に基づいてラベルプリンターでラベルに患者情報等を印刷すると共に、必要な採血管を選択して取り出し、これに前記印刷したラベルを貼り付け、ラベル貼付後の採血管を一つのトレイへ収容し、以下同様にして必要な種類の採血管を準備するものである。
【０００３】
【発明が解決しようとする課題】
通常、採血管は、血液の採取量や試薬の種類、血液を凝固させるのか又は試薬と反応させるのか等の検査用途に応じて太さや長さ等が異なり、多数種類のものがある。ところが、前記従来の採血管準備装置であると、患者情報等を印刷したラベルを、一つのラベル貼付装置で貼り付けているため、太さや長さ等が異なる採血管の正しい位置に、正しい姿勢でラベルを貼り付けることができない場合があった。つまり、従来の装置では、ラベル貼付装置が複数種類の試験管に対応し切れず、正確なラベルの貼り付けができない場合があった。そのため、ラベルが剥がれ落ちて検体取り違えの原因になったり、またバーコードリーダー等によるラベルの自動読取が出来ずに、その後の処理工程において、自動化の障害となるようなことがあった。
【０００４】
また種類別にストックしておいた採血管を、Ｘ，Ｙ，Ｚ軸方向に移動できるように複雑に組み合わせた搬送手段を用いて目的とする種類の採血管を取り出さねばならず、採血管の取り出し装置の構成が大型化し、且つ複雑化する原因となっていた。
【０００５】
更に、採血管の取り出しは、一本ずつ行わねばならず、一人の患者に対して多数本のものを準備する場合には、それだけ余分に時間がかかり、病院等における一日の処理能力に対応し切れない場合があり、血液検査自体の遅延となる等、病院全体の業務に支障を来すおそれもあった。
【０００６】
【課題を解決するための手段】
本発明は従来の前記課題に鑑みてこれを改良除去したものであって、ラベルの貼付装置が採血管の種類ごとに装備され、各ラベル貼付装置へ印刷後のラベルを搬送してきてラベルを当該採血管に専用のラベル貼付装置で貼り付けることにより、正確且つ迅速なラベルの貼り付けが行える採血管準備装置を提供せんとするものである。
【０００７】
前記課題を解決するために本発明が採用した請求項１の手段は、患者情報又は検体情報等をラベルに印刷するラベルプリンターと、印刷後のラベルを移送するラベル移送手段と、多数収容された同じ種類の採血管を一本ずつ切り出して前記印刷後のラベルを自動的に貼り付ける複数のラベル貼付装置と、該ラベル貼付装置の下方へ配設されたラベル貼り付け後の採血管を搬送する搬送手段と、当該搬送手段の終端側で患者別又は検体別に採血管を収容するトレイと、トレイの搬出手段とから成り、前記ラベル貼付装置は採血管の種類別に複数のものが配置されるものであると共に、前記ラベルプリンターと、ラベル移送手段と、複数のラベル貼付装置と、ラベル貼付後の採血管の搬送手段とはそれぞれ上下に多段式で配設されており、上下各段のラベルプリンターは上下各段のそれぞれにおいて選択された複数のラベル貼付装置の採血管に対応してその数の分だけラベルを連続して印刷し、上下各段のラベル移送手段は全てのラベルが印刷された後、これらを各ラベル貼付装置に移送し、各ラベル貼付装置は収容された同じ種類の採血管についてのみ専用的にラベルを貼り付けて下方の採血管の搬送手段へ落下排出するものであることを特徴とする採血管準備装置である。
【０００８】
ラベル貼付装置が採血管の種類別に複数のものが配置されているので、患者情報又は検体情報等の印刷されたラベルは、該当する種類の採血管を備えたラベル貼付装置に移送され、ラベルの貼り付けが自動的に行われる。従って、ラベル貼付装置は、同じ種類の採血管についてのみ専用的にラベルを貼り付けるだけでよく、正確な貼り付けが可能である。またこれらを連続的に動作させることで迅速な採血管の準備が可能であり、検査業務の処理能力を飛躍的に増大させることが可能である。しかも、上下に多段式でラベル貼付装置などを配設することにより、同時に扱える採血管の種類を増やすことができ、その場合であっても装置全体の大きさをコンパクトにすることが可能である。
【０００９】
本発明が採用した請求項２の手段は、装置本体の近傍に採血台が配設されており、前記トレイへ収容されて準備された採血管の種類に応じて採血台にて患者の採血を行う請求項１に記載の採血管準備装置である。
この発明によれば、採血管準備装置で患者に対応した複数の採血管を準備し、その傍らの採血台で前記準備された採血管を用いて患者の採血を同時に行うことが可能である。
【００１０】
【発明の実施の形態】
以下に、本発明の構成を図面に示す発明の実施の形態に基づいて説明すると次の通りである。図１〜図４は本発明の一実施の形態に係るものであり、図１は装置全体を示す斜視図、図２は各部の配置を示す概略平面図、図３は同概略背面図、図４はフローチャート図である。同図に示す如く、この実施の形態に係る採血管準備装置１は、装置本体２と、その隣位に配設された高さ調節機構を備えた採血台３と、装置本体２の上面側に取り付けられたモニター４及び呼び出し表示器５並びにカットラベルプリンター６とで外部の機器が構成されている。
【００１１】
装置本体１は、図１に示すように、その正面側に面して、ラベル貼付装置７Ａ〜７Ｄ及びラベルプリンター８Ａが上段に配設されており、ラベル貼付装置７ａ〜７ｄ及びラベルプリンター８ａが下段に配設されている。しかも、それぞれは引出自在に装着されている。各ラベル貼付装置７Ａ〜７Ｄ及び７ａ〜７ｄは、それぞれ採血管の投入用のホッパー及び収納部と、収納された多数の採血管を回転式ドラムシャッター等により一本ずつ切り出す切出装置と、採血管の向きを一方向へ揃える反転装置と、取り出された採血管にラベルを貼付するオートラベラーとを有している。これらのラベル貼付装置の採血管収納部には、種類の異なる採血管が専用的に収納されるようになっている。従って、この場合は各ラベル貼付装置７Ａ〜７Ｄと、７ａ〜７ｄとに異なる種類の採血管が収容され、合計８種類の採血管が収納されるようになっている。採血管の補充は、各ラベル貼付装置を引き出して、露出する収納部のホッパーへ投入するだけでよい。なお、ラベルプリンターのロール状の台紙に貼り付けられたラベルの補充も同様に各ラベルプリンターを引き出して行えばよい。
【００１２】
図２及び図３に示すように、ラベルプリンター８Ａ及び８ａは、上位のシステムから患者情報又は検体情報等が入力され、これをラベル９へ印刷するようになっている。印刷後のラベル９は、上下二段に配設されたそれぞれ四つのラベル移送手段１０Ａ〜１０Ｄ又は１０ａ〜１０ｄに受け渡され、各段のラベル貼付装置７Ａ〜７Ｄ又は７ａ〜７ｄに対して供給されるようになっている。図２及び図３において、符号１１Ａ及び１１ａは、ラベル移送手段１０Ａ〜１０Ｄ及び１０ａ〜１０ｄの搬送機構である。この搬送機構の途中には、各ラベル貼付装置に対応して各ラベル移送手段を正確な位置に停止させるためのストッパー機構１２Ａ〜１２Ｄが設けられており、ラベル９の受渡しが常に一定の位置で正しく行われるようになっている。なお、ストッパー機構１２Ａ〜１２Ｄは、図２に上段のもののみを示している。
【００１３】
各ラベル貼付装置７Ａ〜７Ｄ及び７ａ〜７ｄは、前記ラベル移送手段１０Ａ〜１０Ｄ及び１０ａ〜１０ｄから受け取ったラベル９を、方向を揃えて一本ずつ切り出した採血管の周囲に自動的に貼り付け、貼り付け後は採血管自体を下方へ落下排出するようになっている。ラベル貼付装置７Ａ〜７Ｄ及び７ａ〜７ｄの下方には、それぞれ各ラベル貼付装置を横切って連続する採血管搬送手段１３Ａ及び１３ａが配設されており、各ラベル貼付装置７Ａ〜７Ｄ及び７ａ〜７ｄの下方から落下排出された前記ラベル貼付後の採血管をプッシャー等の移載手段１４Ａの方へ搬送するようになっている。なお、下段の移載手段については、図示を省略している。
【００１４】
採血管搬送手段１３Ａ及び１３ａを挟んで上下の各移載手段１４Ａの反対側の位置には、トレイ１５が配設されている。トレイ１５は、上下の採血管搬送手段１３Ａ及び１３ａの中間に位置しており、上段の搬送手段１３Ａから押し出される採血管１８はシュート（図示せず）等を通じて当該トレイ１５内へ落下供給され、下段の搬送手段１３ａから押し出された採血管は揚上コンベア（図示せず）を通じて一旦引き上げられた後、当該トレイ１５内へ落下供給されるようになっている。トレイ１５は、トレイストッカー１６から一個ずつが患者情報又は検体情報等によって患者別又は検体別に供給され、エレベータ１７によって装置本体２の上面側へ排出されるようになっている。
【００１５】
一方、装置本体２の上面に取り付けられたモニター４は、病棟内処理又は外来患者処理の切り換えを行ったり、自動運転又は手動運転のモード切り換えを行ったり、上位システムに対して患者情報の要求を行ったり、不在患者の呼び出しを行ったり、採血管準備情報を表示したりするためのものであり、採血を行うオペレーターが操作するようになっている。また患者の呼び出し表示器５は、これから採血を行う患者を呼び出すためのものであり、受付番号や患者を特定できる情報を表示して行う。更に、手貼り用のカットラベルプリンター６は、患者情報又は検体情報等をラベルに印刷して表示したり、採血管準備装置１で自動的に準備することのできない特殊な採血管についての患者情報又は検体情報等をラベルに印刷して手貼りするためのものである。
【００１６】
次に、このように構成された採血管準備装置１の動作態様を、図４に示すフローチャートに基づいて説明する。この装置１では、上位システムからの情報によりラベルへの印刷と、採血管の供給切出と、トレイの供給とがそれぞれ別々に独立して行われる。ラベルプリンター８Ａ及び８ａでは、上位システムからの情報により選択された採血管に対応して患者情報及び検体情報等がラベルに印刷されて発行される。すなわち、このラベルの発行は、それぞれのプリンター８Ａ及び８ａが負担する上段及び下段のラベル貼付装置７Ａ〜７Ｄ及び７ａ〜７ｄで選択された採血管に対応しており、選択された採血管の分だけ連続して印刷発行される。発行されたラベルは、一旦、ラベル移送手段１０Ａ〜１０Ｄ及び１０ａ〜１０ｄに受け取られて待機し、全部のラベルの発行が完了すると、一斉に各ラベル移送手段が前進し、対応するラベル貼付装置７Ａ〜７Ｄ及び７ａ〜７ｄの前で停止する。この停止は、ストッパ機構１２Ａ〜１２Ｄ（上段のもののみを示す）によって各ラベル貼付装置に対して正確な位置に停止することができる。
【００１７】
一方、ラベル貼付装置７Ａ〜７Ｄ及び７ａ〜７ｄでは、採血管を１本ずつ取り出し、その方向合わせが行われた後、ラベル巻き付け部へ移送され、回転しながら常時空きがないように待機している。この待機状態において、前記ラベル移送手段１０Ａ〜１０Ｄ及び１０ａ〜１０ｄからラベルが供給され、回転中の採血管の周囲にラベルが巻き付けられて貼付される。ラベルの貼付された採血管は、各ラベル貼付装置の下方へ落下して排出され、採血管搬送手段１３Ａ及び１３ａによってトレイ１５の待機位置へ搬送される。
【００１８】
トレイ１５は、トレイストッカー１６から一個ずつが供給され、上段の採血管搬送手段１３Ａと下段の採血管搬送手段１３ａとの間の中間の位置で待機している。そして、この待機状態において、上段の採血管搬送手段１３Ａによってその終端側へ採血管が搬送されて来ると、プッシャー等の移載手段１４Ａが働き、搬送手段１３Ａから採血管を押し出し、図示しないシュートを通じてトレイ１５へ採血管を収納する。一方、下段の採血管搬送手段１３ａによってその終端側へ搬送されて来た採血管は、やはりプッシャー等の移載手段（図示せず）によって側方へ押し出され、図示しない揚上リフトによって掬い上げられ、揚上リフトの上昇反転位置でトレイ１５に移し替えられる。このようにして該当する患者の全ての種類の採血管がトレイ１５へ収納されると、トレイ１５はエレベータ１７へ移載され、このエレベータ１７によって装置本体２の上面側へ押し上げられる。
【００１９】
そして、本装置で取り扱っていない特殊な採血管へ手貼りするためのカットラベル及び／又は該当する患者の採血管に関する情報が印刷されたカットラベルがカットラベルプリンター６から発行され、トレイ１５へ収納される。然る後は、オペレーターによって採血管の準備されたトレイ１５が取り出され、カットラベル又はモニター４の表示情報によって準備された採血管と、上位システムからの患者の採血管情報とが一致するかどうかの照合が行われる。一致している場合は、表示器５によって患者の呼出が行われ、採血台３にて患者の採血が行われる。前記照合が一致していない場合は、手動による採血管の要求を行う等すればよい。また採血管の準備が完了した場合は、上位システムにその旨の情報が送信され、上位システムは次の患者に対する情報を本装置１へ送信し、順次新しい患者の採血管が自動的に準備される。
【００２０】
このように本実施の形態の装置１にあっては、上下の各段のラベルプリンター８Ａ及び８ａがそれぞれ四種類の採血管に対応するラベルを連続して印刷し、これを各種類ごとの採血管専用のラベル貼付装置７Ａ〜７Ｄ及び７ａ〜７ｄで個別的に貼り付け、一つのトレイ１５へ収納して準備するようにしており、各ラベル貼付装置が一つの種類の採血管に対応すればよいので、正確なラベルの貼り付けが可能である。また同時に上下二段において８種類の採血管を準備することが可能であり、極めて効率的である。
【００２１】
ところで、本発明は上述した実施の形態に限定されるものではなく、適宜の変更が可能である。例えば、ラベルプリンターとラベル貼付装置とは上下二段の場合を説明したが、三段以上の複数段であってもよい。また採血台３は装置本体２の左右両側へ配設し、同時に二人の患者の採血を行うようにすることも可能である。
【００２２】
【発明の効果】
以上説明したように本発明にあっては、患者情報又は検体情報等をラベルに印刷するラベルプリンターと、印刷後のラベルを移送するラベル移送手段と、多数収容された採血管を一本ずつ切り出して前記印刷後のラベルを自動的に貼り付けるラベル貼付装置と、ラベル貼り付け後の採血管を搬送する搬送手段と、当該搬送手段の終端側で患者別又は検体別に採血管を収容するトレイと、トレイの搬出手段とで採血管準備装置を構成し、前記ラベル貼付装置は採血管の種類別に複数のものを配置するようにしたから、ラベル貼付装置は、同じ種類の採血管についてのみ専用的にラベルを貼り付けるだけでよく、正確な貼り付けが可能である。また複数種類の採血管に対応できるようにラベル貼付装置も複数装備されており、これらを連続的に動作させることで迅速な採血管の準備が可能であり、検査業務の処理能力を飛躍的に増大させることが可能である。
【００２３】
また本発明にあっては、採血管準備装置本体の近傍に採血台を配設したから、採血管準備装置で患者に対応した複数の採血管を準備し、その傍らの採血台で前記準備された採血管を用いて患者の採血を同時に行うことが可能である。
【００２４】
更に、本発明にあっては、ラベルプリンターと、ラベル移送手段と、ラベル貼付装置と、採血管の搬送手段とをそれぞれ上下に多段式で配設するようにしたから、同時に扱える採血管の種類を増やすことができ、しかも装置全体の大きさをコンパクトにすることが可能である。
【図面の簡単な説明】
【図１】本発明の一実施の形態に係る装置の全体を示す斜視図である。
【図２】本発明の一実施の形態に係る装置の各部の配置を示す概略平面図である。
【図３】本発明の一実施の形態に係る装置の各部の配置を示す概略背面図である。
【図４】本発明の一実施の形態に係る装置のフローチャート図である。
【符号の説明】
１…採血管準備装置、２…装置本体、３…採血台、４…モニター、５…表示器、６…カ  ットラベルプリンター、７Ａ〜７Ｄ及び７ａ〜７ｄ…ラベル貼付装置、８Ａ及び８ａ…  ラベルプリンター、９…ラベル、１０Ａ〜１０Ｄ及び１０ａ〜１０ｄ…ラベル移送手段  、１１Ａ及び１１ａ…ラベル移送手段の搬送機構、１３Ａ及び１３ａ…採血管搬送手段  、１５…トレイ、１６…トレイストッカー、１７…エレベーター
【図１】
0003572543.tif 000002
【図２】
0003572543.tif 000003
【図３】
0003572543.tif 000004
【図４】
0003572543.tif 000005